(57)【特許請求の範囲】
【請求項１】
複数の撮影画像を合成することにより、合成画像を生成する画像処理装置であって、
撮影手段から前記複数の撮影画像を取得する取得手段と、
前記複数の撮影画像の内の第一の撮影画像を写損指定もしくは再撮影指定とした場合、前記複数の撮影画像の内の第二の撮影画像を写損指定もしくは再撮影指定とする設定手段とを有することを特徴とする画像処理装置。
【請求項２】
前記第一の撮影画像と前記第二の撮影画像とから前記合成画像を生成する合成画像生成手段を有し、
前記設定手段は、前記複数の撮影画像の内の第一の撮影画像を写損指定もしくは再撮影指定とした場合、前記第二の撮影画像と前記合成画像とを写損指定もしくは再撮影指定とすることを特徴とする請求項１に記載の画像処理装置。
【請求項３】
前記第一の撮影画像と前記第二の撮影画像とから前記合成画像を生成する合成画像生成手段を有し、
前記設定手段は、前記合成画像を写損指定もしくは再撮影指定とした場合、前記第一の撮影画像と前記第二の撮影画像とを写損指定もしくは再撮影指定とすることを特徴とする請求項１に記載の画像処理装置。
【請求項４】
前記撮影手段は、放射線撮影手段であり、前記撮影画像は、前記放射線撮影手段から取得された放射線撮影画像であることを特徴とする請求項１に記載の画像処理装置。
【請求項５】
前記放射線撮影手段がスティッチ撮影モードであるか否かを判定する判定手段を有し、
前記設定手段は、前記判定手段によりスティッチ撮影モードであると判定された場合であり、前記複数の撮影画像の内の第一の撮影画像を写損指定もしくは再撮影指定とした場合、前記複数の撮影画像の内の第二の撮影画像を写損指定もしくは再撮影指定とすることを特徴とする請求項４に記載の画像処理装置。
【請求項６】
前記複数の撮影画像から、前記合成画像を生成するための合成の対象となる複数の撮影画像を選択する選択手段と、
前記設定手段は、前記合成の対象となる複数の撮影画像の内の第一の撮影画像を写損指定もしくは再撮影指定とした場合、前記合成の対象となる複数の撮影画像の内の第二の撮影画像を再撮影指定とすることを特徴とする請求項１に記載の画像処理装置。
【請求項７】
前記設定手段は、前記第一の撮影画像の再撮影指定が解除された場合、前記第二の撮影画像の写損指定もしくは再撮影指定を解除することを特徴とする請求項１に記載の画像処理装置。
【請求項８】
複数の撮影画像を合成することにより、合成画像を生成する画像処理装置であって、
取得手段が、撮影手段から前記複数の撮影画像を取得する取得工程と、
設定手段が、前記複数の撮影画像の内の第一の撮影画像を写損指定もしくは再撮影指定とした場合、前記複数の撮影画像の内の第二の撮影画像を写損指定もしくは再撮影指定とする設定工程とを有することを特徴とする画像処理方法。
【請求項９】
コンピュータを、
複数の撮影画像を合成することにより、合成画像を生成する画像処理装置であって、
撮影手段から前記複数の撮影画像を取得する取得手段と、
前記複数の撮影画像の内の第一の撮影画像を写損指定もしくは再撮影指定とした場合、前記複数の撮影画像の内の第二の撮影画像を写損指定もしくは再撮影指定とする設定手段とを有することを特徴とする画像処理装置として機能させるためのコンピュータプログラム。
【発明の詳細な説明】
【技術分野】
【０００１】
本発明は、複数の撮影画像を合成することにより、合成画像を生成する画像処理装置および方法に関する。
【背景技術】
【０００２】
従来から放射線を用いた撮影は様々な分野で利用されており、特に医療分野においては、診断のための最も重要な手段の一つとなっている。また、近年では放射線撮影で得られる放射線像をデジタル化した画像データとして収集する撮像センサが実用化されており、放射線撮影分野におけるデジタル化が進んでいる。この撮像センサは一般に大きいサイズのもので43cm×43cmのものが主流となっている。
【０００３】
この撮像センサを利用して放射線撮影を実施する場合、撮像センサよりも大きな領域（全脊椎や下肢全長など）を撮影しようとすると、1回の撮影では全ての領域を撮影できない。よって、撮影対象を複数回に分けて撮影することが行われている。そして、その各撮影で取得された複数枚の画像データを合成処理することにより所望する１枚の大きな画像データを得るという撮影方法が確立されている。この撮影方法は一般に分割撮影、長尺撮影、スティッチ撮影と呼ばれている（以下、スティッチ撮影と呼ぶ）。
【０００４】
また、医療分野における放射線撮影では、撮影時に患者が動いてしまった場合などを考慮し、撮影画像に対する写損指定または再撮影指定が実施される。この際、写損理由または再撮影理由を記録として残すことが一部の国や地域では義務付けられている。
【０００５】
特許文献１には、上記の写損または再撮影に関して開示されている。ここで、図９を用いて従来の写損指定または再撮影の実施方法について説明する。図９において、C1、C2、C3はスティッチ撮影における各撮影で取得された撮影画像であり、C4はC1、C2、C3の3つの画像から合成された合成画像である。
【０００６】
図９の(a)において、２枚目の撮影が終了した後に２枚目の撮影画像C2に対して写損または再撮影を指示すると、２枚目の撮影画像C2に対する写損理由または再撮影理由を入力する。そして、入力が終了すると、２枚目の撮影画像C2上に×マークが表示され、２枚目の撮影画像C2がC2'となり写損または再撮影指示されたことが確認できる。
【０００７】
また、図９の(b)では３枚の各撮影が終了し、合成画像C4を作成したが所望する合成画像を得ることができなかったために合成画像C4を写損または再撮影させる。(a)と同様に合成画像C4に対して写損指定または再撮影指示が与えられると、合成画像C4に対する写損理由または再撮影理由を入力する。そして、その入力が終了すると、合成画像C4上に×マークが表示され、合成画像C4がC4'となり写損指定または再撮影指示されたことが確認できる。
【先行技術文献】
【特許文献】
【０００８】
【特許文献１】特許第３６７９６４７号公報
【発明の概要】
【発明が解決しようとする課題】
【０００９】
図９で説明した写損または再撮影方法は、１枚の撮影画像または合成画像に対して写損または再撮影を実施している。しかしながら、このような再撮影方法は、合成画像の作成を目的とするスティッチ撮影では効果的ではないことがある。
【００１０】
それは、スティッチ撮影では図９の(a)のように２枚目の撮影画像C2を再撮影指定として再撮影したとしても、再撮影して得られた再撮影画像は、１枚目の撮影画像C1と正しく合成できる可能性がほとんどないからである。これは、２枚目を撮影し直す間に患者が動いてしまうことなどが原因である。
【００１１】
したがって、２枚目の撮影画像C2を写損指定または再撮影指定とすることは、１枚目からすべての撮影をやり直すことを意味する。そのため、２枚目の撮影画像C2を写損または再撮影するならば、１枚目の撮影画像C1も写損または再撮影とすべきである。
【００１２】
また、図９の(b)のように合成画像C4を写損または再撮影として合成画像を作成し直す場合、その合成画像を作成する上で撮影された各撮影画像C1、C2、C3は不要である。合成画像C4を写損または再撮影指示した時点で各撮影画像C1、C2、C3も写損または再撮影とすべきである。
【００１３】
従来の写損または再撮影方法では上記のようにスティッチ撮影における写損または再撮影が考慮されておらず、例えば、図９の(b)で全ての画像を写損したい場合は、４回の写損指定および写損理由入力をしなければならなかった。したがって、操作者にとっては手間が多く、また、写損の指定忘れなどにより無駄な撮影画像が転送され、印刷される可能性があった。
【００１４】
本発明は、上記課題を鑑みてなされたものであり、複数の撮影画像を合成することにより、合成画像を生成する画像処理装置において、写損指定もしくは再撮影指定に関する操作者の負荷を軽減させることを目的とする。
【課題を解決するための手段】
【００１５】
本発明は、複数の撮影画像を合成することにより、合成画像を生成する画像処理装置であって、撮影手段から前記複数の撮影画像を取得する取得手段と、前記複数の撮影画像の内の第一の撮影画像を写損指定もしくは再撮影指定とした場合、前記複数の撮影画像の内の第二の撮影画像を写損指定もしくは再撮影指定とする設定手段とを有することを特徴とする。
【発明の効果】
【００１６】
本発明によれば、複数の撮影画像を合成することにより、合成画像を生成する画像処理装置において、写損指定もしくは再撮影指定に関する操作者の負荷を軽減させることが出来る。
【図面の簡単な説明】
【００１７】
【図１】本実施形態における画像処理装置の構成を示す構成図である。
【図２】撮影モード選択部による撮影モード選択例を示す図である。
【図３】図１の画像処理装置と異なる構成を有する画像処理装置の構成図である。
【図４】撮影画像に対して写損指定または再撮影指定する場合の処理を示す図である。
【図５】合成画像に対する写損指定もしくは再撮影指定する場合の処理を示す図である。
【図６】合成画像に対する写損指定または再撮影指定の処理を示す図である。
【図７】写損指定または再撮影指定を解除する場合の処理を示す図である。
【図８】写損指定または再撮影指定を解除する場合の処理を示す図である。
【図９】従来技術を示す図である。
【発明を実施するための形態】
【００１８】
以下、本発明を適用した実施形態を、添付図面を参照しながら詳細に説明する。
図１は、本実施形態における画像処理装置の構成を示す構成図である。１０１は被写体を透過したＸ線（放射線）を検出することにより、Ｘ線撮影画像（放射線撮影画像）を取得する撮像部１０１である。撮像部１０１は、Ｘ線（放射線）を検出するＸ線検出手段（放射線撮影手段）として機能し、Ｘ線（放射線）を検出可能な光電変換素子などから構成される。
【００１９】
１０２は、撮像部１０１で得られたＸ線撮影画像を取得する取得手段として機能する撮影画像取得部１０２である。１０３は、撮影画像取得部１０２で取得されたＸ線撮影画像を記憶する記憶部１０３である。記憶部１０３は、RAM（Random Access Memory）のような一時記憶装置や、HDD（Hard Disk Drive）のような記憶装置などから構成される。
【００２０】
１０４は記憶部１０３に記憶された撮影画像のうち少なくとも２枚の撮影画像（第一の撮影画像および第二の撮影画像）から合成画像を作成するための合成画像生成手段として機能する合成画像作成部１０４である。合成画像作成部１０４は、一般的にデジタルデータであるＸ線撮影画像をデジタル処理するため、CPU（Central Processing Unit）、RAMなどを有するパーソナルコンピュータと同様の構成になる。合成画像作成部１０４は、画像の合成処理などを行うためのコンピュータプログラムが格納された記憶媒体を有する。尚、合成画像作成部１０４によって作成された合成画像もまた記憶部１０３で記憶することが可能である。
【００２１】
１０５は、記憶部１０３に記憶されている撮影画像および合成画像を表示する表示部１０５である。表示部１０５は、一般的な画像を表示するためのモニタなどから構成される。１０６は、本実施形態における画像処理装置を操作する操作者により指示を受けて、撮影モードの選択を行う撮影モード選択部１０６である。撮影モードの選択は、操作者により、表示部１０５に表示されたGUI（Graphical User Interface）を確認しながら行われる。ここで、選択可能な撮影モードは、胸部などの画像を１枚のみ撮影する通常撮影モードと、スティッチ撮影用のスティッチ撮影モードである。前述したように、スティッチ撮影モードとは複数の撮影画像をつなぎ合わせ（合成）、合成画像を作成するための撮影モードである。
【００２２】
図２は、撮影モード選択部１０６による撮影モード選択例を示す図である。図２は、表示部１０５に表示されるGUIの一例を示している。図２において、CHEST PAおよびCHEST RLと記載されたボタン２０１および２０２は通常撮影モード用のボタンであり、操作者はこれらのボタンを押下することで通常撮影モードを選択できる。これに対し、Stitchと記載されたボタン２０３はスティッチ撮影モード用のボタンであり、操作者はこのボタンを押下することでスティッチ撮影モードを選択できる。
【００２３】
１０７は、操作者による画像選択の指示を受ける画像選択部１０７である。画像選択部１０７は、マウスやキーボードなどの入力装置から構成され、操作者の操作により画像選択が行われる。尚、画像選択部１０７によって選択された画像に対して操作者は再撮影の指示が可能である。
【００２４】
１０８は、操作者による再撮影指示を行うための再撮影指示部１０８である。再撮影指示部１０８は、画像選択部１０７と同様に、マウスやキーボードなどの入力装置から構成される。１０９は、操作者による再撮影理由の入力を行うための再撮影理由入力部１０９である。再撮影理由入力部１０９は、画像選択部１０７と同様に、マウスやキーボードなどの入力装置から構成される。尚、画像選択部１０７、再撮影指示部１０８、再撮影理由入力部１０９は同一の構成としてもよい。
【００２５】
１１０は、撮影画像取得部１０２で取得された撮影画像を再撮影状態（再撮影指定）にする再撮影状態遷移部１１０である。再撮影状態遷移部１１０により再撮影状態にする撮影画像は、画像選択部１０７、再撮影指示部１０８、再撮影理由入力部１０９への入力に基づくものであるが、どの画像を再撮影状態へ遷移すべき画像の判断は制御部１１１によりなされる。
【００２６】
制御部１１１は、合成画像作成部１０４と同様の一般的なパーソナルコンピュータと同様の構成を有し、設定手段として機能する。制御部１１１は、選択された画像に対して再撮影指示部１０８再撮影の指示が出されると、選択された画像が再撮影対象であるか否かを判定し、再撮影状態遷移部１１０に該当する画像を再撮影状態へ遷移させる。
【００２７】
すなわち、再撮影指示部１０８により再撮影の指示が出されると、制御部１１１は、撮影モード選択部１０６によって選択されている現在の撮影モードが通常撮影モードであるか、スティッチ撮影モードであるかを判別する。そして、通常撮影モードと判別した場合は、画像選択部１０７によって選択された画像のみを再撮影状態へ遷移させるように再撮影状態遷移部１１０へ指示を出す。これに対し、撮影モード選択部１０６によって選択されている現在の撮影モードがスティッチ撮影モードであると判別した場合は、スティッチ撮影時に撮影された全撮影画像およびそれらの画像から作成された合成画像を再撮影状態へ遷移させるように再撮影状態遷移部１１０へ指示を出す。これにより、撮影モードに応じて再撮影状態への遷移を変更し、スティッチ撮影モードでは全撮影画像と合成画像を連動して再撮影状態へ遷移させることが可能となる。
【００２８】
また、制御部１１１は、現在の撮影モードが通常撮影モードである場合、再撮影理由入力部１０９によって入力された再撮影理由を画像選択部１０７によって選択されている画像のみに適用する。これに対し、現在の撮影モードがスティッチ撮影モードである場合、再撮影入力部１０９によって入力された再撮影理由をスティッチ撮影時に撮影された全画像およびそれらの画像から作成された合成画像へ適用する。これにより、スティッチ撮影モードにおける再撮影理由は連動される。
【００２９】
図３は、図１で示した画像処理装置と異なる構成を有する画像処理装置の構成図である。なお、図３において３０１、３０２、３０３以外の構成は、図１と同様であるため説明は省略する。
【００３０】
３０１は、操作者の指示により、撮影画像の写損指定を行う写損指示部３０１である。３０２は、操作者の指示により、撮影画像の写損指定の理由を入力するための写損理由入力部３０２である。写損指示部３０１、写損理由入力部３０２は、操作者からの指示を受けるためのマウスやキーボードなどの入力装置から構成される。３０３は、撮影画像および撮影画像から生成された合成画像を写損状態（写損指定）へ遷移させる写損状態遷移部３０３である。
【００３１】
表示部１０５に表示された撮影画像および合成画像に対する操作者の画像選択の指示は画像選択部１０７により実現され、画像選択部１０７によって選択された画像に対して操作者は写損の指定が可能である。この写損の指示は写損指示部３０１により実現される。また、写損状態へ遷移する際の写損理由の入力は写損理由入力部３０２を通して実現される。
【００３２】
選択された画像に対して写損指示部３０１により写損の指示が出されると、写損状態遷移部３０３は、該当する画像を写損状態へ遷移させるが、写損状態へ遷移すべき画像は制御部１１１により判断される。すなわち、写損指示部３０１により写損の指示が出されると、制御部１１１は撮影モード選択部106によって選択されている現在の撮影モードが通常撮影モードであるか、スティッチ撮影モードであるかを判別する。そして、通常撮影モードと判別した場合は、画像選択部１０７によって選択された画像のみを写損状態へ遷移させるように写損状態遷移部３０３へ指示を出す。これに対し、撮影モード選択部１０６によって選択されている現在の撮影モードがスティッチ撮影モードであると判別した場合は、スティッチ撮影時に撮影された全撮影画像およびそれらの画像から作成された合成画像を写損状態へ遷移させるように写損状態遷移部３０３へ指示を出す。これにより、撮影モードに応じて写損状態への遷移を変更し、スティッチ撮影モードでは全撮影画像と合成画像を連動して写損状態へ遷移させることが可能となる。
【００３３】
また、制御部１１１は現在の撮影モードが通常撮影モードである場合、写損理由入力部１０９によって入力された写損理由を画像選択部１０７によって選択されている画像のみに適用する。これに対し、現在の撮影モードがスティッチ撮影モードである場合、写損入力部１０９によって入力された写損理由をスティッチ撮影時に撮影された全画像およびそれらの画像から作成された合成画像へ適用する。これにより、スティッチ撮影モードにおける写損理由は連動される。
【００３４】
次に、上記の構成により写損指定もしくは再撮影指定を行う場合の具体的な処理について説明する。
【００３５】
（撮影画像に対して写損指定または再撮影指定する場合の処理）
図４は、スティッチ撮影において２枚目まで撮影したが、２枚目の撮影画像が所望する画像として得られなかった場合に２枚目を写損指定もしくは再撮影指定する場合の処理を示す図である。
【００３６】
従来技術で説明した場合と同様に、操作者は撮影画像C2に対して写損または再撮影の指示を出す。これは、写損指示部３０１または再撮影指示部１０８により実施される。写損指示部３０１または再撮影指示部１０８により写損または再撮影の指示が出されると、写損理由または再撮影理由を入力するための画面が表示部１０５に表示される。操作者は、表示された画面内で写損理由または再撮影理由を入力する。これは写損理由入力部３０２または再撮影理由入力部１０９を通じて行われる。以上の操作者とのインタラクティブな処理は、制御部１１１が本実施形態における各構成を制御することによりなされる。
【００３７】
写損理由または再撮影理由の入力が終了すると、写損状態遷移部３０３または再撮影状態遷移部１１０により写損状態または再撮影状態への遷移が行われるが、この際、制御部１１１が現在の撮影モードを判別する。ここで、図４の処理では、現在の撮影モードがスティッチ撮影モードであるため、制御部１１１は写損状態遷移部３０３または再撮影状態遷移部１１０にC1およびC2の両方の撮影画像を写損状態または再撮影状態へ遷移するように指示を出す。そして、写損状態遷移部３０３または再撮影状態遷移部１１０は制御部１１１の指示に基づき、撮影画像C1およびC2を写損状態または再撮影状態へ遷移させ、撮影画像C1およびC2上に×マークが表示され、C1'およびC2'となる。
【００３８】
さらに、現在の撮影モードがスティッチ撮影モードであるため、制御部１１１は写損理由入力部３０２または再撮影理由入力部１０９による写損理由または再撮影理由を撮影画像C1およびC2の両方へ適用する。
【００３９】
以上より、スティッチ撮影モードにおける写損または再撮影の連動が実現されるため、逐次指定よりも操作者の負荷を軽減することが出来る。
【００４０】
なお、図４では撮影画像C2に対する写損または再撮影の指示について説明したが、必ずしも写損または再撮影の指示がC2に対して行われるものではない。写損または再撮影の指示がC1に対して行われた場合であっても、同様な処理が行われる。
【００４１】
（合成画像に対する写損指定もしくは再撮影指定する場合の処理）
図５は、スティッチ撮影においてC1、C2、C3の各撮影が終了し、合成画像C4を作成したが、所望とする合成画像C4が得られなかった場合に撮影画像C2に対して写損または再撮影の指示を出した場合の処理を示す図である。
【００４２】
操作者は、撮影画像C2に対して写損または再撮影の指示を出す。これは写損指示部３０１または再撮影指示部１０８により実施される。写損指示部３０１または再撮影指示部１０８により写損または再撮影の指示が出されると、写損理由または再撮影理由を入力するための画面が表示され、操作者はその画面内で写損理由または再撮影理由を入力する。これは写損理由入力部３０２または再撮影理由入力部１０９を通じて行われる。
【００４３】
写損理由または再撮影理由の入力が終了すると、写損状態遷移部３０３または再撮影状態遷移部１１０により写損状態または再撮影状態への遷移が行われるが、この際、制御部１１１が現在の撮影モードを判別する。ここで、図５の実施例では現在の撮影モードがスティッチ撮影モードであるため、制御部１１１は写損状態遷移部３０３または再撮影状態遷移部１１０にC1、C2、C3の全撮影画像と合成画像C4を写損状態または再撮影状態へ遷移するように指示を出す。そして、写損状態遷移部３０３または再撮影状態遷移部１１０は制御部１１１の指示に基づき、撮影画像C1、C2、C3および合成画像C4を写損状態または再撮影状態へ遷移させ、撮影画像C1、C2、C3および合成画像C4上に×マークが表示され、C1'、C2'、C3'、C4'となる。
【００４４】
さらに、現在の撮影モードがスティッチ撮影モードであるため、制御部１１１は写損理由入力部３０２または再撮影理由入力部１０９による写損理由または再撮影理由を撮影画像C1、C2、C3および合成画像C4の全てへ適用する。
【００４５】
以上より、スティッチ撮影モードにおける写損または再撮影の連動が実現されため、逐次指定よりも操作者の負荷を軽減することが出来る。
【００４６】
なお、図５では、撮影画像C2に対する写損または再撮影の指示について説明したが、必ずしも写損または再撮影の指示がC2に対して行われるものではない。写損または再撮影の指示がC1、C3、C4に対して行われた場合であっても、同様な処理が行われる。
【００４７】
（合成画像に対する写損指定または再撮影指定の処理）
図６は、スティッチ撮影においてC1、C2、C3の各撮影が終了し、合成画像C4を作成したが、所望とする合成画像C4が得られなかった場合に合成画像C4に対して写損または再撮影の指示を出する場合処理を示す図である。
【００４８】
操作者は合成画像C4に対して写損または再撮影の指示を出す。これは写損指示部３０１または再撮影指示部１０８により実施される。写損指示部３０１または再撮影指示部１０８により写損または再撮影の指示が出されると、写損理由または再撮影理由を入力するための画面が表示され、操作者はその画面内で写損理由または再撮影理由を入力する。これは写損理由入力部３０２または再撮影理由入力部１０９を通じて行われる。
【００４９】
写損理由または再撮影理由の入力が終了すると、写損状態遷移部３０３または再撮影状態遷移部１１０により写損状態または再撮影状態への遷移が行われるが、この際、制御部１１１が現在の撮影モードを判別する。ここで図６の実施例では現在の撮影モードがスティッチ撮影モードであるため、制御部１１１は写損状態遷移部３０３または再撮影状態遷移部１１０にC1、C2、C3の全撮影画像と合成画像C4を写損状態または再撮影状態へ遷移するように指示を出す。そして、写損状態遷移部３０３または再撮影状態遷移部１１０は制御部１１１の指示に基づき、撮影画像C1、C2、C3および合成画像C4を写損状態または再撮影状態へ遷移させ、撮影画像C1、C2、C3および合成画像C4上に×マークが表示され、C1'、C2'、C3'、C4'となる。
【００５０】
さらに、現在の撮影モードがスティッチ撮影モードであるため、制御部111は写損理由入力部302または再撮影理由入力部１０９による写損理由または再撮影理由を撮影画像C1、C2、C3および合成画像C4の全てへ適用する。
【００５１】
以上より、スティッチ撮影モードにおける写損または再撮影の連動が実現されるため、逐次指定よりも操作者の負荷を軽減することが出来る。
【００５２】
なお、図６では合成画像C4に対する写損または再撮影の指示について説明したが、必ずしも写損または再撮影の指示がC4に対して行われるものではない。写損または再撮影の指示がC1、C2、C3に対して行われた場合であっても、同様な処理が行われる。
【００５３】
（写損指定または再撮影指定を解除する場合の処理）
図７は、図４の操作により撮影画像C1とC2が写損状態または再撮影状態へ遷移した後に、その写損指定または再撮影指定を解除する場合の処理を示す図である。
【００５４】
操作者は撮影画像C2'に対して写損状態または再撮影状態の解除指示を出す。これは写損指示部３０１または再撮影指示部１０８により実施される。写損指示部３０１または再撮影指示部１０８により写損状態または再撮影状態の解除指示が出されると、写損状態遷移部３０３または再撮影状態遷移部１１０により写損状態または再撮影状態の解除が行われるが、この際、制御部１１１が現在の撮影モードを判別する。ここで、図７の実施例では現在の撮影モードがスティッチ撮影モードであるため、制御部１１１は写損状態遷移部３０３または再撮影状態遷移部１１０にC1'およびC2'の両方の撮影画像に対する写損状態または再撮影状態の解除指示を出す。そして、写損状態遷移部３０３または再撮影状態遷移部１１０は制御部１１１の指示に基づき、撮影画像C1'およびC2'の写損状態または再撮影状態を解除し、撮影画像C1'およびC2'上の×マークが削除され、C1およびC2となる。
【００５５】
さらに、現在の撮影モードがスティッチ撮影モードであるため、制御部１１１は写損理由入力部３０２または再撮影理由入力部１０９によって入力されたC1'およびC2'に対する写損理由または再撮影理由を削除する。
【００５６】
以上より、スティッチ撮影モードにおける写損状態または再撮影状態の解除が連動して実現されるため、逐次指定よりも操作者の負荷を軽減することが出来る。
【００５７】
なお、図７では撮影画像C2'に対する写損状態または再撮影状態の解除指示について説明したが、必ずしも解除指示がC2'に対して行われるものではない。解除指示がC1'に対して行われた場合であっても、同様な処理が行われる。
【００５８】
（写損指定または再撮影指定を解除する場合の処理）
図８は、図５または図６の操作により撮影画像C1、C2、C3および合成画像C4が写損状態または再撮影状態へ遷移した後に、その写損指定または再撮影指定を解除する場合の処理を示す図である。
【００５９】
操作者は合成画像C4'に対して写損状態または再撮影状態の解除指示を出す。これは写損指示部３０１または再撮影指示部１０８により実施される。写損指示部３０１または再撮影指示部１０８により写損状態または再撮影状態の解除指示が出されると、写損状態遷移部３０３または再撮影状態遷移部１１０により写損状態または再撮影状態の解除が行われるが、この際、制御部１１１が現在の撮影モードを判別する。ここで図８の実施例では現在の撮影モードがスティッチ撮影モードであるため、制御部１１１は写損状態遷移部３０３または再撮影状態遷移部１１０にC1'、C2'、C3'、C4'の全画像に対する写損状態または再撮影状態の解除指示を出す。そして、写損状態遷移部３０３または再撮影状態遷移部１１０は制御部１１１の指示に基づき、撮影画像C1'、C2'、C3'および合成画像C4'の写損状態または再撮影状態を解除し、撮影画像C1'、C2'、C3'および合成画像C4'上の×マークが削除され、C1、C2、C3、C4となる。
【００６０】
さらに、現在の撮影モードがスティッチ撮影モードであるため、制御部１１１は写損理由入力部３０２または再撮影理由入力部１０９によって入力されたC1'、C2'、C3'、C4'に対する写損理由または再撮影理由を削除する。
【００６１】
以上より、スティッチ撮影モードにおける写損指定または再撮影指定の解除が連動して実現されるため、操作者の負荷を軽減することが出来る。
【００６２】
なお、図８では合成画像C4'に対する写損状態または再撮影状態の解除指示について説明したが、必ずしも解除指示がC4'に対して行われるものではない。解除指示がC1'、C2'、C3'に対して行われた場合であっても、同様な処理が行われる。
【００６３】
なお、上述した実施形態では３枚の撮影が行われる例を示したが、スティッチ撮影で撮影される枚数が必ずしも３枚とは限らない。２枚である場合もあれば３枚より多くの撮影が行われる場合もある。これらの場合であっても実施形態における発明は適用可能である。尚、本実施形態における各処理は、各処理を行うためのコンピュータプログラムが格納された記憶媒体を有するパーソナルコンピュータで行うことも可能である。
【符号の説明】
【００６４】
１０１：撮像部、１０２：撮影画像取得部、１０３：記憶部、１０４：合成画像作成部、１０５：表示部、１０６：撮影モード選択部、１０７：画像選択部、１０８：再撮影指示部、１０９：再撮影理由入力部、１１０：再撮影状態遷移部、１１１：制御部
【図１】
0005517843.tif 000002
【図２】
0005517843.tif 000003
【図３】
0005517843.tif 000004
【図４】
0005517843.tif 000005
【図５】
0005517843.tif 000006
【図６】
0005517843.tif 000007
【図７】
0005517843.tif 000008
【図８】
0005517843.tif 000009
【図９】
0005517843.tif 000010